(57)【特許請求の範囲】
【請求項１】
送信信号を生じるレーダ送信機と、
受信機局と遠隔的に置かれたアンテナ局とを含むレーダ受信機と、
フィードスルー零化システムであって、
前記アンテナ局に配置されており、前記アンテナ局が受信する信号とフィードスルー零化信号との間のパワーの差を表すフィードスルー・ゼロ残存信号を提供する遠隔コンバイナ、
前記アンテナ局に配置されており、前記フィードスルー・ゼロ残存信号を表す光信号を生じる遠隔ダウンリンク変調器、
前記アンテナ局から遠隔的に配置されており、前記フィードスルー・ゼロ残存信号を表す前記光信号を検出するダウンリンク光検出器、
前記送信信号の一部分と前記フィードスルー・ゼロ残存信号を表す前記検出された光信号とを与えられ、前記検出された光信号に従って前記送信機からの信号のゲインと位相シフトとを変更して、前記アンテナ局において受信されるフィードスルー信号を零化するのに適切なゲインと位相シフトとを有する前記送信信号のレプリカを生じる可変減衰器・位相シフト装置、
前記アンテナ局において受信されるフィードスルー信号を零化するのに適切なゲインと位相シフトとを有する前記送信信号の前記レプリカを表す光信号を生じる局部アップリンク・レーザ変調器、及び
前記アンテナ局に配置されており、前記アップリンク・レーザ変調器が生じる前記光信号を検出して、フィードスルー零化信号を生じるアップリンク検波器、を含むフィードスルー零化システムと、
を備えた、レーダ・システム。
【請求項２】
前記アンテナ局から遠隔的に配置されており、前記アップリンク・レーザ変調器が生じる前記光信号を検出して、ノイズ消去信号を生じる局部検出器と、
前記ノイズ消去信号と前記送信機からの信号とを与えられる局部ノイズ消去コンバイナと、から構成されるノイズ低減システムを含み、
前記可変ゲイン・位相シフト装置は、前記ノイズ消去コンバイナの出力と前記フィードスルー・ゼロ残存信号を表す前記検出された光信号とを合成して、前記検出された光信号と前記ノイズ消去コンバイナの出力とに従って前記送信機からの信号のゲインと位相シフトとを変更し、前記受信アンテナ局において受信されるフィードスルー信号を零化するのに適切なゲインと位相シフトとを有する前記送信信号のレプリカを生じる、請求項１記載のレーダ・システム。
【請求項３】
レーダ送信機と、
受信機局と遠隔的に置かれたアンテナ局とを有するレーダ受信機と、
フィードスルー零化システムであって、
前記アンテナ局に配置されており、前記アンテナ局が受信する信号とフィードスルー零化信号との間のパワーの差を表すフィードスルー・ゼロ残存信号を提供する遠隔コンバイナ、
前記アンテナ局から遠隔的に配置されたダウンリンク・レーザ、
前記アンテナ局に配置されており、前記ダウンリンク・レーザと前記フィードスルー・ゼロ残存信号とを与えられて、前記ダウンリンク・レーザが生じる光を前記フィードスルー・ゼロ残存信号を用いて変調し、前記フィードスルー・ゼロ残存信号を表す光信号を生じるダウンリンク変調器、
前記フィードスルー・ゼロ残存信号を表す前記光信号を検出するダウンリンク光検出器、
前記送信機からの信号と前記フィードスルー・ゼロ残存信号を表す前記検出された光信号とを与えられ、前記検出された光信号に従って前記送信機からの信号のゲインと位相シフトとを変更して、前記アンテナ局において受信されるフィードスルー信号を零化するのに適切なゲインと位相シフトとを有する前記送信信号のレプリカを生じる可変減衰器・位相シフト装置、
局部アップリンク・レーザ、
前記アップリンク・レーザと前記可変減衰器・位相シフトが生じるゲインと位相とが変更された信号とを与えられ、前記受信アンテナ局において受信されたフィードスルー信号を零化するのに適切なゲインと位相シフトとを有する前記送信信号の前記レプリカを表す光信号を生じる局部アップリンク変調器、及び
前記アンテナ局に配置されており、前記アップリンク・レーザ変調器から与えられる前記光信号を検出して、フィードスルー零化信号を生じるアップリンク検波器、を含むフィードスルー零化システムと、
を備えた、レーダ・システム。
【請求項４】
前記アップリンク・レーザ変調器が生じる前記光信号を検出して、ノイズ消去信号を生じる局部検出器と、
前記ノイズ消去信号と前記送信機からの信号とを与えられるノイズ消去コンバイナと、から構成される局部ノイズ低減システムを含み、
前記可変ゲイン・位相シフト装置は、前記ノイズ消去コンバイナの出力と前記フィードスルー・ゼロ残存信号を表す前記検出された光信号とを合成して、前記検出された光信号と前記ノイズ消去コンバイナの出力とに従って前記送信機からの信号のゲインと位相シフトとを変更し、前記受信アンテナ局において受信されるフィードスルー信号を零化するのに適切なゲインと位相シフトとを有する前記送信信号のレプリカを生じる、請求項３記載のレーダ・システム。
【発明の詳細な説明】
【０００１】
【発明が属する技術分野】
本発明は、広くはレーダ・システムに関し、更に詳しくは、レーダ・システムで用いられる、フィードスルーをヌルにする（零化する）構成に関する。
【０００２】
【従来技術】
この技術分野で知られているように、多くの応用例において、レーダ送信機は、比較的高い出力レベルで動作すると同時に、比較的小型であることが求められる。更に、送信機の信頼性を向上させるためには、ソリッドステート素子を用いることが有利である。これらの要請に対する１つの解答として、パルス波とは区別される連続波（ＣＷ）の波形を用いての送信がある。
【０００３】
【発明が解決しようとする課題】
ＣＷ波形を用いると、ソリッドステート素子によって実現されている場合には、送信機のサイズを最小にすることができる。その理由は、送信機の設計上のマージンは、パルス波形システムの場合に必要なピーク・パワーではなく、平均のパワーによって制約されるからである。しかし、ＣＷレーダ・システムは、送信機から受信機に直接的に高レベルのパワーが供給されることになる。この効果は、通常、「フィードスルー（ｆｅｅｄｔｈｒｏｕｇｈ）」と称される。このフィードスルーは、受信機を飽和させ、所望の反射レーダ・エネルギの適切な検出を妨げる。すなわち、受信機は、比較的高いフィードスルーが存在する場合でも、歪みのない態様で同時的な動作を維持しながら、システムの良質の熱的kTNFノイズ・フロア（benign thermal kTNF noise floor）に近い感度を提供することが求められる。従って、ＣＷシステムでは、完全な感度と高い線形性との要求は、フィードスルーのレベルが上昇するにつれて、達成困難になる。
【０００４】
フィードスルーを減少させるために提案されている技術の１つとして、送信機と受信機とを異なる位置に配置することがある。この提案は、送信機と受信機との両者のための場所が制限される場合には、十分ではない。また、意図しているエリアをカバーするのに要求されるアンテナの方向性パターンは、受信アンテナから送信アンテナを直接に見通すことができ、それによって、高レベルのフィードスルーの存在による受信機の感度抑圧（desensitization）を促進することが必要になる。
【０００５】
更に最近では、受信アンテナ局をレーダ受信機局と離れた位置に配置して、アンテナ局と受信機局とを光学的なリンクを介して結合することが提案されている。
【０００６】
【課題を解決するための手段】
本発明により、レーダ送信機とレーダ受信機とを有するレーダ・システムが提供される。レーダ受信機は、アンテナ局と受信機局とを含む。送信機と受信機局とは、相互に近接していても、離れていてもかまわない。しかし、アンテナ局は、受信機局と送信機との少なくとも一方からは、離れて（遠隔的に）配置される。従って、ここでは、送信機及び／又は受信機局は、時には、ローカル（局部）であると称され、アンテナ局は、リモート（遠隔）であると称される。フィードスルーをゼロにする（零化する）システムが提供される。この零化システムは、遠隔アンテナ局に配置されており、アンテナ局が受信する信号とフィードスルー零化信号との間のパワーの差を表すフィードスルー・ゼロ残存信号を提供する遠隔コンバイナを含む。ダウンリンク変調器が、アンテナ局に配置されており、フィードスルー・ゼロ残存信号を表す光信号を生じる。ダウンリンク光検波器が、送信機又は受信機局のどちらかの位置に配置されており、フィードスルー・ゼロ残存信号を表す光信号を検出する。送信機又は受信機のどちらかの位置に配置された可変減衰器・位相シフト装置には、送信機が送信する信号の一部分が与えられる。この可変減衰器・位相シフト装置は、フィードスルー・ゼロ残存信号を表す検出された光信号から導かれる信号によって制御され、送信された信号の一部分のゲインと位相シフトとを変更して、フィードスルー零化信号を生じる。更に詳しくは、可変減衰器・位相シフト装置の出力は、適切なゲインと位相とを有する送信信号のレプリカであり、それによって、送信機又は受信機局のどちらかにおけるアンテナ局へのローカルなアップリンク光送信の後に、適切なフィードスルー零化信号が、アンテナ局に置かれたリモートなコンバイナに対して、生じる。
【０００７】
更に詳しくは、局部アップリンク・レーザは、アンテナ局から遠隔的に配置されており、信号を与えられたアンテナ局によって受信されるフィードスルー信号を零化するのに適切なゲインと位相とを有する送信信号のレプリカを表す光信号を生じる。アップリンク検波器は、アンテナ局に配置されており、アップリンク・レーザ変調器が生じる光信号を検出して、フィードスルー零化信号を生じる。
【０００８】
本発明の別の特徴によれば、局部ノイズ低減システムが提供される。このノイズ低減システムは、局部アンテナ局に置かれたアップリンク検波器に送信され検出された局部アップリンク・レーザ変調器光信号を検出する局部検波器（すなわち、送信機又は受信機局のどちらかに配置された検波器）を含む。局部ノイズ消去コンバイナには、局部検波器（すなわち、送信機又は受信機局のどちらかに配置された検波器）と送信機によって送信される信号の一部分とが与えられる。可変ゲイン・位相シフト装置は、ノイズ消去コンバイナの出力とフィードスルー・ゼロ残存信号を表す検出された光信号とを合成して、検出された光信号とノイズ消去コンバイナの出力とに従って送信機からの信号のゲインと位相シフトとを変更し、適切なゲインと位相シフトとを有する送信信号のレプリカを生じる。
【０００９】
この構成において、局部アップリンク・レーザ変調器によって生じる光アップリンク信号は、２つの独立な検波器、すなわち、アンテナ局における遠隔検波器と、送信機又は受信機局のどちらかにおける局部検波器と、によって検出される。局部アップリンク・レーザのノイズは、近接して置かれている局部検波器によって検出され、局部（従って、遠隔的に配置されたアンテナ局の検波器への送信において、光アップリンク信号に与えられたノイズには露出されていない）検波器によって、比較的高い帯域幅のノイズ低減ループにおいて、トラッキングされるので、局部及び遠隔の検波器は、整合されている。局部の高い帯域幅のノイズ低減ループは、アップリンク・レーザ・ノイズを低減するように作用し、この局部アップリンク・レーザを、フィードスルー・ゼロ信号を用いて直線変調する。従って、局部及び遠隔の検波器が整合されている場合には、ノイズは、局部検波器において低減され、また同時に、遠隔検波器においても低減される。
【００１０】
【発明の実施の態様】
図１を参照すると、レーダ送信機１２とレーダ受信機１４とを有するレーダ・システム１０が、示されている。レーダ受信機１４は、アンテナ局１６と受信機局１８とを含む。送信機１２と受信機局１８とは、相互に、近接していても、離れていてもかまわない。どちらの場合でも、アンテナ局１６は、受信機局１８と送信機１２との少なくとも一方からは、離れた位置に配置される。従って、以下の記述においては、送信機１２及び／又は受信機局１８は、「ローカル（局部）」と、アンテナ局は、「リモート（遠隔）」と、称することがある。次に、フィードスルー零化システム１９が、含まれるが、このフィードスルー零化システム１９は、ここでは１８０°の方向性カプラ（方向性結合器）であるリモート・コンバイナ（結合器）２０を含み、アンテナ２４がアンテナ局１６で受信する信号とライン２６上のフィードスルー零化信号とのパワーの差を表すフィードスルー・ゼロ残存（ｒｅｓｉｄｕａｌ）信号をライン２２上に提供する。ダウンリンク・レーザ変調送信機２８は、アンテナ局１６に配置されており、受信機局１８においてダウンリンク・レーザ２９から信号を与えられ、ライン２２上でゼロ残存信号が与えられて、ライン２２上に、フィードスルー・ゼロ残存信号を表す光信号３０を生じる。ダウンリンク光受信機３２は、受信機局１８に配置され、ライン２２上のフィードスルー・ゼロ残存信号を表す光信号３０を検出する。可変減衰器・位相シフト装置３４には、送信機１２が送信する信号の一部分すなわちライン３６上に生じた送信信号の一部分と、出力３８におけるフィードスルー・ゼロ残存信号を表す検出された光信号とが与えられる。可変減衰器・位相シフト装置３４は、出力３８における検出されたフィードスルー・ゼロ信号に従って、送信機１２が送信したライン３６上の信号の一部分のゲインと位相シフトとを変更し、適切なゲインと位相とを有する送信信号のレプリカをライン４０上に生じて、それにより、アンテナ局１６への局部アップリンク・レーザ送信機４２によるアップリンク光送信の後で、適切なフィードスルー零化信号を、アンテナ局１６におけるリモートなコンバイナ２０に対して、ライン２２上に生じる。
【００１１】
更に詳しくは、ローカルなアップリンク・レーザ送信機４２は、受信機局１８に配置されており、アンテナ局１６において受信されるフィードスルー信号４８をヌルにする（零化する）のに適切なゲインと位相シフトとを有する送信信号のレプリカを表す光信号４４を生じる。アップリンク受信機５０は、アンテナ局１６に配置され、局部アップリンク・レーザ送信機４２が生じる光信号４４を検出して、ライン２２上に、フィードスルー零化信号を生じる。
【００１２】
ノイズ低減（degeneration）システム５２が提供される。このノイズ低減システム５２は、この例では受信機局１８における局部アップリンク・レーザ送信機４２に近接又は隣接して配置された局部検波器（検出器）５４を含み、局部アップリンク・レーザ送信機４２が生じた光信号４４の一部分を検出し、ライン５６上に、ノイズ消去信号を生じる。ここではミキサ部５８である局部ノイズ消去コンバイナには、ライン５６上のノイズ消去信号と、ライン３６上の送信信号の一部分とが、与えられる。出力６０におけるミキサ部５８の出力で生じるビデオ信号は、加算ネットワーク５８において、アップリンク受信機３２が生じるビデオ信号と合成され、ゲイン・位相シフト信号を、可変ゲイン・位相シフト装置３４に対して、出力６４上に、生じる。合成ネットワーク６２は、ノイズ消去コンバイナ・ネットワーク６２の出力６０と、ダウンリンク受信機３２の出力３８上に生じるフィードスルー・ゼロ残存信号を表す検出された光信号とを合成し、ノイズ消去コンバイナ６２の出力３８及び出力６０上の検出されたゼロ残存信号に従って、送信機１２からのライン３６上の信号のゲインと位相シフトとを変更する。このようにして、ライン３６上の送信信号のレプリカは、ゲインと位相とが調節され、それによって、ライン４０を介してアップリンク送信機４２からアップリンク受信機５０まで進んだ後には、受信アンテナ２４において受信されるフィードスルー信号４８は、結合された２０において、ライン２６上の零化信号によってゼロにされる。
【００１３】
図２を参照すると、レーダ・システム１０が、更に詳細に示されている。可変ゲイン・位相シフト（移相）装置３４は、示されているように、送信機部１２によって送信される信号の一部分が与えられる直角位相電力分割器（直交パワー・デバイダ）６０を含む。パワー・デバイダ６０の出力は、従って、１対の直角位相信号（すなわち、同相（Ｉ）及び直交（Ｑ）信号）である。同相及び直交信号は、図示のように、１対の可変減衰器６１、６３を介して、パワー・コンバイナ６６に与えられる。パワー・コンバイナ（電力結合器）６６の出力は、図示のように、アップリンク・レーザ送信機４２の光変調器６８に与えられる。また、この変調器６８には、局部アップリンク・レーザ７０の出力も与えられる。このように、変調器６８と局部アップリンク・レーザ７０とは、局部アップリンク・レーザ送信機４２を構成する。変調器６８の出力４４は、示されているように、局部アップリンク・レーザ７０に隣接する受信機部１８に配置されている局部ダイオード検波器（検出器）５４に与えられ、また、アンテナ局１６に置かれたリモートなアップリンク・ダイオード検波器７２にも与えられる。リモートなアップリンク・ダイオード検波器７２の出力は、図示のように、変圧器７４を介して、１８０°の方向性カプラ２０に与えられる。従って、リモートなアップリンク・ダイオード検波器７２と変圧器７４とは、示されているように、局部アップリンク受信機５０とライン２６上のフィードスルー零化信号とを提供する。
【００１４】
受信機アンテナ２４の出力は、送信機アンテナ４５からのフィードスルー３２を含んでおり、示されているように、オプションである増幅器７６を介して、１８０°の方向性カプラ２０の第２の入力に与えられる。従って、方向性カプラ２０は、受信アンテナ２４から受信するエネルギとアップリンク受信機５０が生じるライン２６上のフィードスルー零化信号とを減算して、ライン２２上にフィードスルー・ゼロ残存信号を生じる。ライン２２上のフィードスルー・ゼロ残存信号は、示されているように、バンドパス・フィルタ７８を介して、変調器８０に与えられる。同様に変調器８０に与えられるのは、受信機局１８に置かれたダウンリンク・レーザ２９の出力８０である。従って、バンドパス・フィルタ７８と、変調器８０と、ダウンリンク・レーザ２９からの信号８２とが、ダウンリンク・レーザ変調送信機２８を提供する。
【００１５】
遠隔ダウンリンク・レーザ変調器送信機２８の出力３０は、ダイオード検波器（検出器）８４に与えられる。このダイオード検波器８４は、示されているように、ダウンリンク受信機３２に含まれている。ダウンリンク受信機３２は、図示されているように、ヘテロダイン部８６と、ダイオード検波器８４の出力が与えられるアナログ・デジタル（Ａ／Ｄ）変換器８８とを含む。Ａ／Ｄ変換器８８の出力は、例えば、受信信号の従来型の処理のために、デジタル信号プロセッサ（ＤＳＰ）に与えられる。Ａ／Ｄ変換器８８の出力は、直交（直角位相）ミキサ９０にも与えられる。直交ミキサ９０には、示されているように、ライン３６上の送信信号の一部分も与えられる。ミキサ９０によってライン３８上に生じる直交出力信号の対は、素子９６、９８に示されるように、積分され、すなわち、デジタル・フィルタリングされ、デジタル・アナログ（Ｄ／Ａ）変換器１００によってアナログ信号に再び変換された後に、加算ネットワーク６２とフィルタ１０８、１１０を介して、出力３８を生じるローパスフィルタ１０４、１０６に与えられ、可変ゲイン・位相シフト装置３４における可変減衰器６３、６１のための制御信号を提供する。
【００１６】
動作においては、フィードスルー零化システム１９（図１）又はループが、提供される。方向性カプラ２０の出力２２に生じる任意の残存フィードスルー信号は、可変ゲイン及び位相シフト装置３４がライン３６上の送信信号の部分に生じるゲインと位相シフトとを調節し、結果的に、適切なフィードスルー・ゼロ信号が、アップリンク・レーザ送信機４２によって生じる。すなわち、可変ゲイン・位相シフト装置３４のＩ及びＱチャンネルにおける同相及び直交信号は、光学的に送信されるフィードスルー・ゼロ信号３０に応答して出力６４で生じる制御信号によって制御され、ライン２２上のこの残存信号をゼロに近づける。
【００１７】
ダイオード検波器５４の出力は、示されているように、直交ミキサ部５８に与えられる。また、ライン３２上の送信信号の一部もまた、直交ミキサ部５８に与えられる。直交ミキサ部５８の出力（すなわち、ライン９２、９４上の信号）は、積分器９６、９８とデジタル・アナログ変換器１００、１０２とローパスフィルタ１０４、１０６とを通過した後で、加算ネットワーク６２においてダウンリンク受信機３２が生じる信号に加えられる。この構成により、局部ノイズ低減ループ５２（図１）が得られ、他方で、フィードスルー零化ループ１９（図１）が同時に閉じられる。
【００１８】
更に詳しくは、局部ノイズ低減ループ５２は、また、直線変調の能力も有している。フィードスルー零化ループ１９によると、出力３８（図１）での制御信号は、ライン３６上の送信信号サンプルを直線的に調節して、ライン２６上で、フィードスルー零点消去信号を、方向性カプラ２０に提供する。フィードスルー零化ループ１９のクローズアウト周波数（すなわち、オープンループ・ゲインが０ｄｂに等しくなる周波数）は、通常は、例えば３０Ｈｚよりも小さな、低い周波数に設定される。フィードスルー零点レプリカ信号（ライン２６上の信号）を光アップリンクのレーザ送信機４２を介してカプラ２０に与える必要があるので、アップリンク・レーザ７０（図２）自体がノイズ源となるという複雑さが加わる。代表的なＮｄ：ＹＡＧアップリンク・レーザは、１００Ｈｚでは、−１２７ｄＢｃ／Ｈｚのノイズ・レベルを有する。光アップリンク送信機４２に関するノイズの要件は、ダウンリンク・レーザ２９についてのノイズの場合よりも、著しく厳格である。その理由は、アップリンクされたＳ／Ｎ比は、方向性カプラ２０におけるフィードスルー零化加算の後では、残存信号によってではなく、直接のフィードスルー・レベルによって、導かれるからである。アップリンク・レーザ７０に関するＳ／Ｎ比の方が高いことの結果として、アップリンク・レーザ７０のノイズは、ダウンリンク・レーザ２９の場合のノイズよりも、およそ３０ｄＢ程度、優れていることになる。
【００１９】
この改善されたノイズ性能を達成するために、局部ノイズ低減ループ５２（図１）が、受信機局１８に置かれたローカルなアップリンク・レーザ５２（図１）の周囲で閉じている。ノイズ低減ループ５２はまた、出力３８におけるフィードスルー零化制御信号を用いて、アップリンク信号４４を直線変調する。光アップリンク信号４４の一部分は、検波器５４によって局部的に（受信機局１８において）回復され、直交同期復調器又はミキサ５８において、送信機からの信号すなわちライン３６上の信号と比較される。出力６０は、ライン３６上の送信サンプルと局部アップリンク・レーザ４２からの局部検波器５４によって局部的に回復された信号との差である。出力６０における直交復調された信号は、加算ネットワーク６２において、出力３８上のフィードスルー零化制御信号と加算され、結果的に出力６４に残ったものが、ループ積分器Ｆ（ｓ）１０８、１１０（図２）に与えられる。ここで、ｓは、ラプラス演算子である。局部ノイズ低減ループ５２のフィードバックによって、フィードスルー零点制御ループ１９と等しいが極性は逆のループ応答が生じる。ノイズ低減ループ５２は、図２に示すように、可変ゲイン及び位相シフト装置３４を介して、閉じている。ここで、ノイズ低減ループ５２のクローズ・アウト周波数は、２ＭＨｚであり、ｒｆ送信波形の代表的な１００ＫＨｚの情報帯域幅に亘る著しいノイズの低減を保証する。フィードスルー零点ループ１９は３０Ｈｚのループ帯域幅を有しているので、ノイズ低減ループ５２の２ＭＨｚの帯域幅は、フィードスルー零化ループ１９の３０Ｈｚの帯域幅に対して、本質的に透過的（トランスペアレント）である。
【００２０】
既に述べたように、光アップリンク信号４４は、リモートな検波器７２とここでは受信機局３６とに置かれたローカルな検波器５４との、２つの独立な光検波器５４、７２（図２）によって検出される。この構成では、変調されたアップリンク・レーザ７０のノイズのＳ／Ｎ比は、−３０ｄＢよりも大きくないエラーと一致する。従って、局部アップリンク・レーザ７０のノイズは、局部的なより高い帯域幅のノイズ低減ループ５２によって、検出されトラッキングされ、局部及び遠隔検波器５４、７２は、フィードスルー零化ループ１９の作用によって整合されるので、アップリンク・レーザ７０が発生するノイズは、遠隔検波器７２において低減される。受信機局１８、すなわち、局部的な、高い帯域幅のノイズ低減ループ５２は、局部アップリンク・レーザ４２のノイズを低減し、フィードスルー零化信号を用いて局部アップリンク・レーザ４２を直線変調するように作用する。従って、局部検波器５４とリモートな検波器７２とが整合している場合には、ノイズは、局部検波器５４において低減し、遠隔検波器７２でも低減する。
【００２１】
図３を参照すると、レーダ・システム１０が示されている。この図では、図１及び図２に記載されている可変ゲイン及び位相シフト装置３４、アップリンク送信機４２、検波器５４、ミキサ部５８及び合成ネットワークは、送信機局１２’に置かれ、他方で、ダウンリンク・レーザ２９とダウンリンク受信機３２とは、受信機局１８’に置かれている。図１の場合と同様に、遠隔アンテナ局は、受信機局１８’から遠隔的に配置されるが、ノイズ低減ループ５２は、局部送信機１２’の場所に置かれていることに注意されたい。
【００２２】
これ以外の実施例も、冒頭の特許請求の範囲の技術思想と技術範囲とに含まれる。
【図面の簡単な説明】
【図１】本発明によるレーダ・システムのブロック図である。
【図２】図１のレーダ・システムの更に詳細なブロック図である。
【図３】本発明の別の実施例によるレーダ・システムのブロック図である。
【図１】
0003709032.tif 000002
【図２】
0003709032.tif 000003
【図３】
0003709032.tif 000004